【手続補正書】
【提出日】平成23年12月22日(2011.12.22)
【手続補正１】
【補正対象書類名】特許請求の範囲
【補正対象項目名】請求項１
【補正方法】変更
【補正の内容】
【請求項１】
給水本管から分岐されて設けられた一次側配管と、警戒区画に配置されて設けられた二次側配管と、該一次側配管と該二次側配管との間に設けられ、該一次側配管と連通する一次室及び該二次側配管と連通する二次室を有すると共に、該一次室から該二次室への通水口を開閉する弁体を有し、該一次室から該二次室への流水を検知する流水検知装置と、該二次側配管に設けられた複数のスプリンクラヘッドと、該警戒区画に配置されて設けられた火災感知器と、該火災感知器の火災信号及び該スプリンクラヘッドの作動による該二次側配管内の減圧信号を受信する制御盤とを備えた予作動式消火設備において、
該一次側配管に設けられ、該一次側配管内の圧力の増圧によって作動する第１圧力スイッチと、該二次側配管に設けられ、該二次側配管内の圧力の減圧によって作動する第２圧力スイッチとを更に備え、
監視時、該一次側配管内に封入されている水は一次側監視圧に保持され、該二次側配管内に封入されている水又は空気は二次側監視圧に保持され、該流水検知装置の該弁体は閉状態に保持され、該第１圧力スイッチ及び該第２圧力スイッチは作動していない様構成されており、
火災時、該スプリンクラヘッドの作動による該二次側配管内の圧力の該二次側監視圧からの減圧によって作動した該第２圧力スイッチからの減圧信号と、該火災感知器からの火災信号とを該制御盤が受信し、その受信に基づく該制御盤からの移報信号によって、該給水本管又は該一次側配管内の水又は空気を排出する起動弁が開かれ、それによる該一次側配管内の圧力の該一次側監視圧からの減圧に基づき、該給水本管に接続された給水ポンプが起動され、それによる該一次側配管内の圧力の該減圧された圧力からの増圧によって、該第１圧力スイッチが作動して増圧信号が該制御盤に送信されると共に、該流水検知装置の該弁体が開状態にされる様構成されていることを特徴とする予作動式消火設備。
【手続補正２】
【補正対象書類名】特許請求の範囲
【補正対象項目名】請求項２
【補正方法】変更
【補正の内容】
【請求項２】
給水本管から分岐されて設けられた一次側配管と、警戒区画に配置されて設けられた二次側配管と、該一次側配管と該二次側配管との間に設けられ、該一次側配管と連通する一次室及び該二次側配管と連通する二次室を有すると共に、該一次室から該二次室への通水口を開閉する弁体を有し、該一次室から該二次室への流水を検知する流水検知装置と、該二次側配管に設けられた複数のスプリンクラヘッドと、該警戒区画に配置されて設けられた火災感知器と、該火災感知器の火災信号及び該スプリンクラヘッドの作動による該二次側配管内の減圧信号を受信する制御盤とを備えた予作動式消火設備において、
該一次側配管に設けられ、該一次側配管内の圧力の増圧によって作動する第１圧力スイッチと、該二次側配管に設けられ、該二次側配管内の圧力の減圧によって作動する第２圧力スイッチとを更に備え、
監視時、該一次側配管内に封入されている水は一次側監視圧に保持され、該二次側配管内に封入されている水は二次側監視圧に保持され、該流水検知装置の該弁体は閉状態に保持され、該第１圧力スイッチ及び該第２圧力スイッチは作動していない様構成されており、
火災時、該スプリンクラヘッドの作動による該二次側配管内の圧力の該二次側監視圧からの減圧によって作動した該第２圧力スイッチからの減圧信号と、該火災感知器からの火災信号とを該制御盤が受信し、その受信に基づく該制御盤からの移報信号によって、該給水本管に接続された給水ポンプが起動され、それによる該一次側配管内の圧力の該一次側監視圧からの増圧によって、該第１圧力スイッチが作動して増圧信号が該制御盤に送信されると共に、該流水検知装置の該弁体が開状態にされる様構成されていることを特徴とする予作動式消火設備。
【手続補正３】
【補正対象書類名】明細書
【補正対象項目名】００１０
【補正方法】変更
【補正の内容】
【００１０】
この発明は、給水本管から分岐されて設けられた一次側配管と、警戒区画に配置されて設けられた二次側配管と、該一次側配管と該二次側配管との間に設けられ、該一次側配管と連通する一次室及び該二次側配管と連通する二次室を有すると共に、該一次室から該二次室への通水口を開閉する弁体を有し、該一次室から該二次室への流水を検知する流水検知装置と、該二次側配管に設けられた複数のスプリンクラヘッドと、該警戒区画に配置されて設けられた火災感知器と、該火災感知器の火災信号及び該スプリンクラヘッドの作動による該二次側配管内の減圧信号を受信する制御盤とを備えた予作動式消火設備において、該一次側配管に設けられ、該一次側配管内の圧力の増圧によって作動する第１圧力スイッチと、該二次側配管に設けられ、該二次側配管内の圧力の減圧によって作動する第２圧力スイッチとを更に備え、監視時、該一次側配管内に封入されている水は一次側監視圧に保持され、該二次側配管内に封入されている水又は空気は二次側監視圧に保持され、該流水検知装置の該弁体は閉状態に保持され、該第１圧力スイッチ及び該第２圧力スイッチは作動していない様構成されており、火災時、該スプリンクラヘッドの作動による該二次側配管内の圧力の該二次側監視圧からの減圧によって作動した該第２圧力スイッチからの減圧信号と、該火災感知器からの火災信号とを該制御盤が受信し、その受信に基づく該制御盤からの移報信号によって、該給水本管又は該一次側配管内の水又は空気を排出する起動弁が開かれ、それによる該一次側配管内の圧力の該一次側監視圧からの減圧に基づき、該給水本管に接続された給水ポンプが起動され、それによる該一次側配管内の圧力の該減圧された圧力からの増圧によって、該第１圧力スイッチが作動して増圧信号が該制御盤に送信されると共に、該流水検知装置の該弁体が開状態にされる様構成されていることを特徴とする予作動式消火設備、である。
【手続補正４】
【補正対象書類名】明細書
【補正対象項目名】００１１
【補正方法】変更
【補正の内容】
【００１１】
又、この発明は、給水本管から分岐されて設けられた一次側配管と、警戒区画に配置されて設けられた二次側配管と、該一次側配管と該二次側配管との間に設けられ、該一次側配管と連通する一次室及び該二次側配管と連通する二次室を有すると共に、該一次室から該二次室への通水口を開閉する弁体を有し、該一次室から該二次室への流水を検知する流水検知装置と、該二次側配管に設けられた複数のスプリンクラヘッドと、該警戒区画に配置されて設けられた火災感知器と、該火災感知器の火災信号及び該スプリンクラヘッドの作動による該二次側配管内の減圧信号を受信する制御盤とを備えた予作動式消火設備にお
いて、該一次側配管に設けられ、該一次側配管内の圧力の増圧によって作動する第１圧力スイッチと、該二次側配管に設けられ、該二次側配管内の圧力の減圧によって作動する第２圧力スイッチとを更に備え、監視時、該一次側配管内に封入されている水は一次側監視圧に保持され、該二次側配管内に封入されている水又は空気は二次側監視圧に保持され、該流水検知装置の該弁体は閉状態に保持され、該第１圧力スイッチ及び該第２圧力スイッチは作動していない様構成されており、火災時、該スプリンクラヘッドの作動による該二次側配管内の圧力の該二次側監視圧からの減圧によって作動した該第２圧力スイッチからの減圧信号と、該火災感知器からの火災信号とを該制御盤が受信し、その受信に基づく該制御盤からの移報信号によって、該給水本管に接続された給水ポンプが起動され、それによる該一次側配管内の圧力の該一次側監視圧からの増圧によって、該第１圧力スイッチが作動して増圧信号が該制御盤に送信されると共に、該流水検知装置の該弁体が開状態にされる様構成されていることを特徴とする予作動式消火設備、である。